(57)【要約】【課題】インバータ装置一体型電動圧縮機において、電動圧縮機構部の作動により発生する騒音や振動が、インバータカバーに伝播し、発生する騒音を抑制すること。【解決手段】圧縮機構部４を駆動する電動機５を備える電動圧縮機１と、電動圧縮機の中心軸方向に搭載され前記電動機を作動させるインバータ装置２とから構成され、前記インバータ装置を構成するインバータカバー２Ｂに樹脂シート１９を一体化した。これにより、電動圧縮機構部の作動により発生する騒音や振動が、インバータケース２Ａを介してインバータカバー２Ｂに伝播しても、インバータカバー２Ｂの振動が、貼り付けられた樹脂シートによって抑制でき、インバータ装置一体型電動圧縮機から発生する騒音の抑制することができる。【選択図】図１
2012132432.tif 000002
【特許請求の範囲】
【請求項１】
圧縮機構部と当該圧縮機構部を駆動する電動機とを備える電動圧縮機と、前記電動圧縮機の中心軸方向に搭載され前記電動機を作動させるインバータ装置とから構成されるインバータ装置一体型電動圧縮機であって、前記インバータ装置は回路基板を固定したインバータケースと、このインバータケースを覆うインバータカバーとで構成し、かつ、前記インバータカバーの内面には樹脂シートを一体化したインバータ装置一体型電動圧縮機。
【請求項２】
前記樹脂シートは注型によりインバータケースの内面に一体化したことを特徴とする請求項１に記載のインバータ装置一体型電動圧縮機。
【請求項３】
前記樹脂シートは回路基板側に向けて凸部を形成し、この凸部を回路基板に当接させた請求項１または２に記載のインバータ装置一体型電動圧縮機。
【請求項４】
前記樹脂シートは蓄熱能力のある材質で形成させた請求項１〜３のいずれか一項に記載のインバータ装置一体型電動圧縮機。
【発明の詳細な説明】
【技術分野】
【０００１】
本発明は冷媒の吸入、圧縮および吐出を行う電動圧縮機部と、この電動圧縮機部の電動機を駆動するインバータ装置とを一体化した、インバータ装置一体型電動圧縮機に関するものである。
【背景技術】
【０００２】
従来この種のインバータ装置一体型電動圧縮機は、インバータ装置を電動圧縮機の中心軸方向に搭載した形態がある（例えば、特許文献１参照）。図４はこの特許文献１に記載されているインバータ装置一体型電動圧縮機を示す。この図４において、機体容器１０１に圧縮機構部１０２と電動機１０３などを収容して電動圧縮機１０４を構成し、この電動圧縮機１０４の軸線方向端部にインバータ装置１０５が取り付けてあり、このインバータ装置１０５はインバータケース１０６に圧縮機ターミナル１０７、回路基板１０８などを収容して構成してある。
【先行技術文献】
【特許文献】
【０００３】
【特許文献１】特開２００３−１２９９８３号公報
【発明の概要】
【発明が解決しようとする課題】
【０００４】
しかしながら、前記従来の構成では、圧縮機構部１０３の作動により発生する騒音や振動が、機体容器１０１に一体となっているインバータ装置１０５のインバータケース１０６を介しインバータカバー１０９に伝播し、インバータカバー１０９が振動され、インバータ装置一体型電動圧縮機から発生する騒音が悪化するという課題を有していた。
【０００５】
本発明は、前記従来の課題を解決するもので、作動中の騒音を抑制できるインバータ装置一体型電動圧縮機を提供することを目的とする。
【課題を解決するための手段】
【０００６】
前記従来の課題を解決するために、本発明のインバータ装置一体型電動圧縮機は、圧縮機構部と当該圧縮機構部を駆動する電動機とを備える電動圧縮機と、前記電動圧縮機の中心軸方向に搭載され前記電動機を作動させるインバータ装置とから構成されるインバータ装置一体型電動圧縮機であって、前記インバータ装置は回路基板を固定したインバータケースと、このインバータケースを覆うインバータカバーとで構成し、かつ、前記インバータカバーの内面には樹脂シートを一体化した構成としてある。
【０００７】
これによって、電動圧縮機構部の作動により発生する騒音や振動が、一体となっているインバータ装置のインバータケースを介し、そのインバータカバーに伝播しても、インバータカバーの振動が、一体化した樹脂によって抑制でき、インバータ装置一体型電動圧縮機から発生する騒音を抑制することができる。
【発明の効果】
【０００８】
本発明のインバータ装置一体型電動圧縮機は、作動中の騒音を抑制することができる。
【図面の簡単な説明】
【０００９】
【図１】（ａ）本発明の実施の形態１におけるインバータ装置一体型電動圧縮機正面図、（ｂ）同側面図
【図２】同実施の形態１におけるインバータケースとインバータカバーの分解斜視図
【図３】同実施の形態２におけるインバータケースとインバータカバーの分解斜視図
【図４】従来のインバータ装置一体型電動圧縮機の断面図
【発明を実施するための形態】
【００１０】
第１の発明は、圧縮機構部と当該圧縮機構部を駆動する電動機とを備える電動圧縮機と、前記電動圧縮機の中心軸方向に搭載され前記電動機を作動させるインバータ装置とから構成されるインバータ装置一体型電動圧縮機であって、前記インバータ装置は回路基板を固定したインバータケースと、このインバータケースを覆うインバータカバーとで構成し、かつ、前記インバータカバーの内面には樹脂シートを一体化した構成としてあり、電動圧縮機構部の作動により発生する騒音や振動が、一体となっているインバータ装置のインバータケースを介し、そのインバータカバーに伝播しても、インバータカバーの振動が、貼り付けられた樹脂によって抑制でき、インバータ装置一体型電動圧縮機から発生する騒音の抑制することができる。
【００１１】
第２の発明は、特に、第１の発明のインバータ装置一体型電動圧縮機において、その樹脂シートを注型によりインバータカバーに一体化したものであり、いかなる形状であっても、均等に樹脂を容易に貼り付けることができる。
【００１２】
第３の発明は、特に、第１、第２の発明のインバータ装置一体型電動圧縮機において、樹脂シートは回路基板側に向けて凸部を形成し、この凸部を回路基板に当接させた攻勢としてあり、回路基板の振動を抑制してその耐振動性を向上することができる。
【００１３】
第４の発明は、特に、第１、第２、第３の発明のインバータ装置一体型電動圧縮機において、樹脂シートは蓄熱能力のある材質で形成することにより、エンジン等の運転時などに発生する急激な温度変化を抑制することにより、インバータ装置の半田クラックなどを防止することができる。これにより、信頼性を向上させることができる。
【００１４】
以下、本発明の実施の形態について、図面を参照しながら説明する。なお、この実施の形態によって本発明が限定されるものではない。
【００１５】
（実施の形態１）
図１は、本発明の実施の形態におけるインバータ装置一体型電動圧縮機の断面図を示すものである。
【００１６】
図１においては、電動圧縮機１の胴部の周りにある取付け脚（図示せず）によって自動車等に搭載されるインバータ装置一体型電動圧縮機の一例を示す。電動圧縮機１はその本体ケーシング３内に電動機５及び圧縮機構部４を内蔵する。電動機５はインバータ装置２によって駆動され、当該電動機５により駆動される圧縮機構部４は、インバータケース２Ａに設けた吸入口８を通じ冷凍サイクルからの低圧冷媒を吸入して、圧縮し、吐出する。吐出された冷媒は電動機５側に入り、電動機５を冷却しながら本体ケーシング３の吐出口９から冷凍サイクルへ吐出される。即ち、電動圧縮機１は、高圧型圧縮機となる。
【００１７】
インバータ装置２はインバータケース２Ａとこれを覆うインバータカバー２Ｂとからなり、インバータケース２Ａをボルト１０により本体ケーシング３に締結して電動圧縮機１の軸線方向端部に固定される。インバータケース２Ａにはインバータカバー２Ｂがネジ１１で固定される。またインバータ装置２には外部との電気的な接続を行うための直付けコネクタ１２が設けてある。
【００１８】
図２はインバータケース２Ａとインバータカバー２Ｂとを分解して示したもので、イン
バータケース２Ａの端部壁２ｃには、ＩＰＭ１３、電流平滑コンデンサ１４が配置され、圧縮機ターミナル１５も含めこれらの部品を回路基板１６が覆うかたちでインバータ装置２を構成している。また、インバータケース２Ａをインバータカバー２Ｂで覆うことにより、インバータ装置２を外的効力から保護することができる。ネジ１１はインバータカバー２Ｂのネジ通し穴１７を通し、インバータケース２Ａのネジ穴１８に締結される。
【００１９】
ここで上記インバータカバー２Ｂの内面には遮音および制振効果のある樹脂シート１９が、貼り付けなどによって一体化してある。
【００２０】
以上のように構成されたインバータ装置一体型電動圧縮機について、以下その動作、作用を説明する。
【００２１】
まず、電動機５はインバータ装置２によって駆動され、駆動軸を介して圧縮機構部４を駆動することにより、インバータ装置２に設けられた吸入口８を通じ冷凍サイクルからの帰還低圧冷媒を吸入して、圧縮し、電動機５側に入り、電動機５を冷却しながら本体ケーシング３の吐出口９から吐出される。
【００２２】
この際、電動機５あるいは圧縮機構部４から騒音や振動が発生するが、この騒音や振動は、本体ケーシング３、インバータケース２Ａなどを介し、インバータカバー２Ｂへ伝播するが、インバータカバー２Ｂには、制振効果のある樹脂シート１９が一体化してあるため、伝播してきた振動の抑制と透過して外部に放射する騒音を抑制することができる。
【００２３】
（実施の形態２）
図３は第２の実施形態のインバータケース２Ａとインバータカバー２Ｂとを分解して示したものである。
【００２４】
この実施の形態２ではインバータカバー２Ｂに一体化した遮音および制振効果のある樹脂シート１９の回路基板１６側に複数の凸部１９Ａを設け、この凸部１９Ａを回路基板１６の適所に部分的に当接させてある。
【００２５】
以上のように構成されたインバータ装置一体型電動圧縮機について、以下その動作、作用を説明する。
【００２６】
実施の形態１に加え、樹脂シートの１９の凸部１９Ａが、回路基板１６を抑えるので、電動機５、圧縮機構部４の振動や自動車の走行中に発生する振動に対する回路基板１６の耐振性の向上が図れる。特に樹脂シート１９を弾性力のある材料で構成すると効果的である。
【００２７】
（実施の形態３）
実施の形態３では実施の形態１、実施の形態２で図示したインバータカバー２Ｂに一体化した遮音および制振効果のある樹脂シート１９が蓄熱能力のある材質で形成している。
【００２８】
以上のように構成されたインバータ装置一体型電動圧縮機について、以下その動作、作用を説明する。
【００２９】
実施の形態１、実施の形態２に加え、樹脂シート１９が、蓄熱能力があるためエンジン等の運転時に発生する急激な温度変化を抑制することにより、インバータ装置の半田クラックを防止することができる。
【００３０】
また、インバータ装置一体型電動圧縮機の運転開始時において、低圧冷媒によりインバ
ータ装置が急速に冷却されることを抑制できる。運転停止時において、低圧冷媒によるインバータ装置の冷却が停止することに起因して、周囲温度の熱、エンジンの熱、電動機の熱、本体ケーシングの熱などにより、インバータ装置が急速に加熱されることを抑制できる。温度の急激な変化を抑制するので、インバータ装置の半田クラック防止に限らず、巻線とボビンの温度変化の相違に起因するコイルの巻線断線の防止、部品の被覆はがれ防止、部品のクラック防止などにも効果がある。
【産業上の利用可能性】
【００３１】
以上のように、本発明にかかるインバータ装置一体型電動圧縮機は、作動中の騒音を抑制が可能となるため、民生用、産業用など幅広く適用できる。
【符号の説明】
【００３２】
１  電動圧縮機
２  インバータ装置
２Ａ  インバータケース
２Ｂ  インバータカバー
３  本体ケーシング
４  圧縮機構部
５  電動機
８  吸入口
９  吐出口
１０  ボルト（本体ケーシングとインバータケース間用）
１１  ネジ
１６  回路基板
１９  樹脂シート
【図１】
2012132432.tif 000003
【図２】
2012132432.tif 000004
【図３】
2012132432.tif 000005
【図４】
2012132432.tif 000006